(57)【要約】【課題】本発明は、複数の機能を備えた冷蔵庫における省エネルギー性能を向上することを目的とする。【解決手段】上記目的を達成するために、冷蔵庫本体に設けられた貯蔵室と、該貯蔵室内に設けられた減圧貯蔵室と、該減圧貯蔵室内を減圧する真空ポンプと、前記冷蔵庫本体に設けられ自動製氷する製氷装置と、前記貯蔵室に冷気を送風するファンと、を備え、前記真空ポンプが駆動する場合、前記製氷装置及び前記ファンを駆動しないことを特徴とする。【選択図】  図２
2011043305.tif 000002
【特許請求の範囲】
【請求項１】
冷蔵庫本体に設けられた貯蔵室と、該貯蔵室内に設けられた減圧貯蔵室と、該減圧貯蔵室内を減圧する真空ポンプと、前記冷蔵庫本体に設けられ自動製氷する製氷装置と、前記貯蔵室に冷気を送風するファンと、を備え、
前記真空ポンプが駆動する場合、前記製氷装置及び前記ファンを駆動しないことを特徴とする冷蔵庫。
【請求項２】
請求項１において、前記製氷装置が駆動する場合、前記ファンを駆動しないことを特徴とする冷蔵庫。
【請求項３】
請求項１又は２において、前記真空ポンプの駆動時間が設定時間よりも長い場合、該真空ポンプを停止して前記製氷装置及び前記ファンを駆動することを特徴とする冷蔵庫。
【請求項４】
請求項１又は２において、前記貯蔵室の扉が開いている場合、前記真空ポンプを停止することを特徴とする冷蔵庫。
【請求項５】
請求項１又は２において、前記真空ポンプの運転指令が所定時間に複数回行われた場合、一定時間経過後に該真空ポンプを駆動することを特徴とする冷蔵庫。
【発明の詳細な説明】
【技術分野】
【０００１】
本発明は、冷蔵庫に関する。
【背景技術】
【０００２】
近年、様々な付加機能を備えた冷蔵庫が開発されており、当該付加機能を動作させるために、搭載される機器の数も増加している。
【０００３】
一例として、特開２００４−２０１１３号公報（特許文献１）に示されたものがある。この冷蔵庫は、真空ポンプを用いて食品収納室内の空気を吸引して減圧する機能をもつ。この機能により食品収納室の空気雰囲気を低酸素状態に制御して鮮度保持する貯蔵によって食品の長期保存を図っている。
【０００４】
また、特開２００４−１５０７６３号公報（特許文献２）に記載の冷蔵庫は、独立した貯蔵空間内部の空気を排気して減圧状態とする機能を備えている。この機能により食品の長期保存および貯蔵室内の脱臭を図っている。
【先行技術文献】
【特許文献】
【０００５】
【特許文献１】特開２００４−０２０１１３号公報
【特許文献２】特開２００４−１５０７６３号公報
【発明の概要】
【発明が解決しようとする課題】
【０００６】
しかし、特許文献１又は２に記載の構成では、使用者の意思で駆動可能な機器（例えば、真空ポンプ）を動作させた場合、それ以外の機器を如何様に動作させるか明示されていない。
【０００７】
そのため、使用者が真空ポンプを動作させている間、使用者の意思とは無関係にその他の機器も動作している場合がある。よって、真空ポンプの動作中に、真空ポンプによる電力消費だけでなく、その他の機器による電力消費も加わり、省エネルギー性能に悪影響を及ぼすおそれがある。
【０００８】
そこで、本発明は、複数の機能を備えた冷蔵庫における省エネルギー性能を向上することを目的とする。
【課題を解決するための手段】
【０００９】
上記課題を解決するために、本発明は、冷蔵庫本体に設けられた貯蔵室と、該貯蔵室内に設けられた減圧貯蔵室と、該減圧貯蔵室内を減圧する真空ポンプと、前記冷蔵庫本体に設けられ自動製氷する製氷装置と、前記貯蔵室に冷気を送風するファンと、を備え、前記真空ポンプが駆動する場合、前記製氷装置及び前記ファンを駆動しないことを特徴とする。
【００１０】
また、前記製氷装置が駆動する場合、前記ファンを駆動しないことを特徴とする。
【００１１】
また、前記真空ポンプの駆動時間が設定時間よりも長い場合、該真空ポンプを停止して前記製氷装置及び前記ファンを駆動することを特徴とする。
【００１２】
また、前記貯蔵室の扉が開いている場合、前記真空ポンプを停止することを特徴とする。
【００１３】
また、前記真空ポンプの運転指令が所定時間に複数回行われた場合、一定時間経過後に該真空ポンプを駆動することを特徴とする。
【発明の効果】
【００１４】
本発明によれば、複数の機能を備えた冷蔵庫における省エネルギー性能を向上することができる。
【図面の簡単な説明】
【００１５】
【図１】本発明の実施例１に係る冷蔵庫に関するブロック図である。
【図２】本発明の実施例１に係る冷蔵庫に関するフローチャートである。
【図３】本発明の実施例２に係る冷蔵庫に関するブロック図である。
【図４】本発明の実施例２に係る冷蔵庫に関するフローチャートである。
【発明を実施するための形態】
【００１６】
以下、本発明の実施例について、図１〜図４を用いて説明する。
【実施例１】
【００１７】
図１は、本発明の実施例１に係る冷蔵庫に関するブロック図である。図２は、本発明の実施例１に係る冷蔵庫に関するフローチャートである。具体的に、貯蔵空間を減圧する真空ポンプを有する冷蔵庫であって、当該真空ポンプの動作中にその他の機器（各負荷）への通電をＯＦＦする。また、真空ポンプ非動作中であって、且つ製氷装置への通電時に、その他の負荷への通電をＯＦＦするものである。
【００１８】
図１において、減圧貯蔵室の扉開閉スイッチ１２が閉の場合に、真空ポンプ１の駆動スイッチ２をＯＮして、真空ポンプ１を動作すると、マイコン３からの信号により、各機器の通電スイッチをＯＦＦする。ここで、各機器の通電スイッチとは、貯蔵室冷却ファン４の通電スイッチ５，圧縮機周辺部冷却ファン６の通電スイッチ７，製氷装置８の通電スイッチ９、及び給水装置１０の通電スイッチ１１である。
【００１９】
次に、真空ポンプ１の動作がＯＮ→ＯＦＦするか、真空ポンプのＯＮ時間が設定値以上となった場合、各負荷の通電スイッチ５，７，９，１１が再びＯＮする。
【００２０】
また、真空ポンプ１の動作がＯＦＦの場合であって、製氷装置８の通電スイッチ９がＯＮとなると、貯蔵室冷却ファン４の通電スイッチ５、圧縮機周辺部冷却ファン６の通電スイッチ７、及び給水装置１０の通電スイッチ１１がＯＦＦする。
【００２１】
次に、製氷装置８の通電スイッチ９がＯＮ→ＯＦＦすると、貯蔵室冷却ファン４の通電スイッチ５、圧縮機周辺部冷却ファン６の通電スイッチ７、及び給水装置１０の通電スイッチ１１が再びＯＮする。
【００２２】
なお、減圧貯蔵室の扉開閉スイッチ１２が開の場合は、真空ポンプ１の駆動スイッチ２のＯＮ／ＯＦＦに関わらず、真空ポンプ１の動作は強制的にＯＦＦとなる。
【００２３】
次に、図２を参照しながら、具体的な制御について説明する。図２は、本発明の実施例に係る冷蔵庫に関するフローチャートである。真空ポンプ１の動作中にその他の機器（負荷機能）への通電をＯＦＦする機能、及び真空ポンプ１の非動作中に製氷装置８の通電がＯＮの場合、その他の負荷機能への通電をＯＦＦする機能を備える。
【００２４】
まず、冷蔵庫本体の電源がＯＮすると（ＳＴＥＰ−０）、貯蔵室冷却ファン４，圧縮機周辺部冷却ファン６，製氷装置８、及び給水装置１０への通電がＯＮする。
【００２５】
次に、減圧貯蔵室の扉開閉スイッチ１２の開閉が「閉」の場合において（ＳＴＥＰ−Ａ）、真空ポンプ１の駆動スイッチ２によって真空ポンプ１の動作がＯＮになると（ＳＴＥＰ−Ｂ）、貯蔵室冷却ファン４，圧縮機周辺部冷却ファン６，製氷装置８、及び給水装置１０の通電がＯＮ→ＯＦＦする（ＳＴＥＰ−１）。
【００２６】
ＳＴＥＰ−１の後、真空ポンプ１の動作がＯＮ→ＯＦＦすれば（ＳＴＥＰ−Ｃ）、貯蔵室冷却ファン４，圧縮機周辺部冷却ファン６，製氷装置８、及び給水装置１０の通電を再びＯＮする（ＳＴＥＰ−２）。
【００２７】
また、真空ポンプ１の動作中（ＳＴＥＰ−Ｃ）に設定時間を経過すると（ＳＴＥＰ−Ｄ）、真空ポンプ１の動作が強制的にＯＦＦすると共に（ＳＴＥＰ−６）、貯蔵室冷却ファン４，圧縮機周辺部冷却ファン６，製氷装置８、及び給水装置１０の通電を強制的にＯＮする（ＳＴＥＰ−２）。これは、貯蔵室冷却ファン４，圧縮機周辺部冷却ファン６，製氷装置８、及び給水装置１０の通電ＯＦＦ時間が長くなり過ぎ、貯蔵室内部の温度が上がりすぎ或いは下がりすぎといった各種不具合を防止するためである。
【００２８】
次に、ＳＴＥＰ−Ａにて減圧貯蔵室の扉開閉スイッチ１２の開閉が「開」となり、真空ポンプ１の動作が強制的にＯＦＦする場合、若しくはＳＴＥＰ−Ｂにて真空ポンプの動作がＯＦＦの場合について説明する。この場合において、製氷装置８の通電がＯＮすると（ＳＴＥＰ−Ｅ）、貯蔵室冷却ファン４，圧縮機周辺部冷却ファン６、及び給水装置１０の通電がＯＮ→ＯＦＦする（ＳＴＥＰ−４）。そして、製氷装置８の通電がＯＦＦすると（ＳＴＥＰ−Ｆ）、貯蔵室冷却ファン４，圧縮機周辺部冷却ファン６、及び給水装置１０の通電が再びＯＮする（ＳＴＥＰ−５）。ＳＴＥＰ−２及びＳＴＥＰ−５の後は、再びＳＴＥＰ−Ａに戻る。
【実施例２】
【００２９】
次に、実施例２について説明する。図３は、本発明の実施例２に係る冷蔵庫に関するブロック図である。図４は、本発明の実施例２に係る冷蔵庫に関するフローチャートである。実施例１との違いは、貯蔵室温度調節ヒータ１４を備える点である。具体的に、真空ポンプ１を有する冷蔵庫において、真空ポンプ１が動作中にその他の機器（各負荷）への通電をＯＦＦする。
【００３０】
図３において、減圧貯蔵室の扉開閉スイッチ１２が「閉」の場合、真空ポンプ１の駆動スイッチ２がＯＮ、真空ポンプ１の動作がＯＮすると、マイコン３からの信号により、貯蔵室冷却ファン４の通電スイッチ５，圧縮機周辺部冷却ファン６の通電スイッチ７，製氷装置８の通電スイッチ９，給水装置１０の通電スイッチ１１、及び貯蔵室温度調節ヒータ１４の通電スイッチ１３がＯＦＦする。
【００３１】
次に、真空ポンプ１の動作がＯＮ→ＯＦＦするか、真空ポンプ１のＯＮ時間が設定値以上となった場合に、貯蔵室冷却ファン４の貯蔵室冷却ファン４の通電スイッチ５，圧縮機周辺部冷却ファン６の通電スイッチ７，製氷装置８の通電スイッチ９，給水装置１０の通電スイッチ１１、及び貯蔵室温度調節ヒータ１４の通電スイッチ１３が再びＯＮする。
【００３２】
さらに、設定時間を経過していない場合、真空ポンプ１を強制的にＯＦＦし、設定時間を経過している場合、使用者の意思で真空ポンプ１を動作させることができる。
【００３３】
次に、図４を参照しながら、具体的な制御について説明する。図４は、本実施例に関する真空ポンプ１を有する冷蔵庫に関し、真空ポンプ１の動作中、貯蔵室冷却ファン４，圧縮機周辺部冷却ファン６，製氷装置８，給水装置１０、及び貯蔵室温度調節ヒータ１４への通電をＯＦＦする機能を説明するブロック図である。
【００３４】
まず、冷蔵庫本体の電源がＯＮすると（ＳＴＥＰ−０）、貯蔵室冷却ファン４，圧縮機周辺部冷却ファン６，製氷装置８，給水装置１０、及び貯蔵室温度調節ヒータ１４の通電がＯＮする。
【００３５】
次に、減圧貯蔵室の扉開閉スイッチ１２の開閉が「閉」の場合（ＳＴＥＰ−Ａ）、真空ポンプ１の駆動スイッチ２により真空ポンプ１が動作ＯＮすると（ＳＴＥＰ−Ｂ）、貯蔵室冷却ファン４，圧縮機周辺部冷却ファン６，製氷装置８，給水装置１０、及び貯蔵室温度調節ヒータ１４の通電がＯＮ→ＯＦＦする（ＳＴＥＰ−１）。
【００３６】
ＳＴＥＰ−１の後、真空ポンプ１の動作がＯＮ→ＯＦＦすれば（ＳＴＥＰ−Ｃ）、貯蔵室冷却ファン４，圧縮機周辺部冷却ファン６，製氷装置８，給水装置１０、及び貯蔵室温度調節ヒータ１４の通電を再びＯＮする（ＳＴＥＰ−２）。また、真空ポンプ１動作中（ＳＴＥＰ−Ｃ）に設定時間を経過すると（ＳＴＥＰ−Ｄ）、真空ポンプ１の動作有無に関わらず、貯蔵室冷却ファン４，圧縮機周辺部冷却ファン６，製氷装置８，給水装置１０、及び貯蔵室温度調節ヒータ１４の通電を強制的にＯＮする（ＳＴＥＰ−２）。これは、貯蔵室冷却ファン４，圧縮機周辺部冷却ファン６，製氷装置８、及び給水装置１０の通電ＯＦＦ時間が長くなり過ぎ、貯蔵室内部が冷えなかったり、冷えすぎたりといった不具合の発生を防止するためである。
【００３７】
なお、ＳＴＥＰ−Ａにて減圧貯蔵室の扉開閉スイッチ１２の開閉が「開」となり、真空ポンプ１の動作が強制的にＯＦＦする場合、若しくはＳＴＥＰ−Ｂにて真空ポンプ１の動作がＯＦＦの場合は、貯蔵室冷却ファン４，圧縮機周辺部冷却ファン６，製氷装置８，給水装置１０、及び貯蔵室温度調節ヒータ１４の通電はＯＮのままである。
【００３８】
ＳＴＥＰ−２の後、設定時間を経過しなければ（ＳＴＥＰ−Ｅ）、真空ポンプ１の動作は強制的にＯＦＦとする（ＳＴＥＰ−７）。上記設定時間の値としては、貯蔵室の種類にもよるが、最低５min以上とすべきである。これは、貯蔵室温度調節ヒータ１４の通電を５min以上ＯＦＦすると、貯蔵室内の凍結すべきでない箇所が凍結するおそれがあるためである。
【００３９】
上記説明した実施例によれば、使用者の意思で駆動可能な機器（例えば、真空ポンプ）の動作中、使用者の意思で駆動不可能な機器（例えば、貯蔵室内部に冷気を送風するファンモータ，圧縮機周辺部の温度を調節するファンモータ，製氷装置，給水装置の単体若しくは複数）をＯＦＦする機能を備える。
【００４０】
また、使用者の意思で駆動可能な機器（例えば、真空ポンプ）の非動作中、使用者の意思で駆動不可能な機器の中の一つ（例えば、製氷装置）若しくは複数が動作する場合は、残りの機器をＯＦＦする機能を有する。
【００４１】
また、使用者の意思で駆動可能な機器（例えば、真空ポンプ）に連続運転指示があった場合、一旦停止して、遅延タイマーをもって一定時間（５min以下）経過後に動作を再開する機能を有する。なお、貯蔵室温度調節ヒータを含む。
【００４２】
以上により、使用者の意思で駆動可能な機器（負荷）の動作中に、その他の機器（負荷）の動作をＯＦＦすることで、使用者の意思で駆動可能な機器（負荷）の動作中の電力消費を抑制することができる。
【００４３】
また、冷蔵庫の最大負荷を低減することで、冷蔵庫用基板の電源容量を下げ、冷蔵庫用基板の電源回路部の小型化、すなわち冷蔵庫用基板の小型化に繋がる。
【符号の説明】
【００４４】
１  真空ポンプ
２  駆動スイッチ
３  マイコン
４  貯蔵室冷却ファン
５，７，９，１１，１３  通電スイッチ
６  圧縮機周辺部冷却ファン
８  製氷装置
１０  給水装置
１２  減圧貯蔵室の扉開閉スイッチ
１４  貯蔵室温度調節ヒータ
【図１】
2011043305.tif 000003
【図２】
2011043305.tif 000004
【図３】
2011043305.tif 000005
【図４】
2011043305.tif 000006